(57)【要約】電子放出を利用した表示装置に関し、表示特性が良く且つ量産に好適な（組み立て易い）構造を提供する。このために、本発明は、電界放出型表示装置を構成する陰極基板と陽極基板の夫々の主面の間に配置され且つ主面間を一定の距離に保つ複数の隔壁材を、これらの主面のいずれかに沿った面で連結し保持する隔壁材連結保持板を設ける。複数の隔壁材は隔壁材連結保持板に機械的に固定されて、上記陰極基板と陽極基板に配置される。また、隔壁材と隔壁材連結保持板からなる集合体には、陰極基板から陽極基板への電子の流れを制御する電極を固定してもよい。
2002023578.tif 000002
【特許請求の範囲】
【請求項１】
一方の主面に電界により電子を放出する制御手段を有する陰極基板と、陰極基板に対向して且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の隔壁材と、上記陰極基板又は上記陽極基板のいずれかの主面に沿う面において上記複数の隔壁材を連結し且つ保持する連結保持手段を有することを特徴とする表示装置。
【請求項２】
請求の範囲第１項において、上記連結保持手段は導電性材料で形成されていることを特徴とする表示装置。
【請求項３】
請求の範囲第１項において、上記連結保持手段は絶縁性材料で形成されている表示装置。
【請求項４】
請求項の範囲第３項において、上記絶縁性材料からなる連結保持手段導電性材料には導電性材料からなる領城が形成されていることを特徴とする表示装置。
【請求項５】
請求の範囲第１項において、上記連結保持手段は上記陰極基板又は上記陽極基板のいずれかの主面に沿う主面を有することを特徴とする表示装置。
【請求項６】
請求の範囲第５項において、上記複数の隔壁材の各々は上記連結保持手段の上記主面に接着されることにより連結保持手段に保持されていることを特徴とする表示装置。
【請求項７】
請求の範囲第５項において、上記連結保持手段の上記主面には複数の開口が設けられ、上記複数の隔壁材の各々には突起が設けられ、上記複数の隔壁材の各々は上記突起を上記連結保持手段の複数の開口のいずれかに挿入されて該連結保持手段に保持されていることを特徴とする表示装置。
【請求項８】
一方の主面に電界により電子を放出する手段を有する陰極基板と、上記陰極基板に対向し且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の隔壁材と、上記陰極基板又は上記陽極基板のいずれかの主面に沿う面において上記複数の隔壁材を連結し且つ保持する連結保持手段と、上記陰極基板からの電子放出を制御する制御手段とを備え、上記制御手段は上記複数の隔壁材に固定されて上記陰極基板と上記陽極基板との間に配置されていることを特徴とする表示装置。
【請求項９】
一方の主面に電界により電子を放出する手段を有する陰極基板と、上記陰極基板に対向し且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の隔壁材と、上記陰極基板又は上記陽極基板のいずれかの主面に沿う面において上記複数の隔壁材を連結し且つ保持する連結保持手段とを備え、上記連結保持手段には上記陰極基板からの電子放出を制御する制御手段が設けられていることを特徴とする表示装置。
【請求項１０】
第１主面を有する第１の基板及び該第１の主面に対向する第２の主面を有する第２の基板と、上記第１の基板と上記第２の基板とを連結し且つ上記第１の主面及び第２の主面との間に挟まれた空間を囲む支持部材と、上記空間に配置され且つ上記第１の主面から上記第２の主面に至る仮想的な線に沿って広がる面を有する複数の壁部材と、上記第１主面に形成された陰極と、上記第２主面に形成された蛍光体と該蛍光体を被うように形成された陽極とを備え、上記複数の壁部材の各々は上記第１の主面又は上記第２の主面に沿って広がる面を有する連結部材に結合されていることを特徴とする表示装置。
【請求項１１】
上記壁部材は、上記第１の主面から上記第２の主面に至る仮想的な線に沿って広がる面を主面とする板状に形成されていることを特徴とする請求の範囲第１０項に記載の表示装置。
【請求項１２】
上記連結部材は、上記第１の主面又は上記第２の主面に沿って広がる面を主面とする板状に形成されていることを特徴とする請求の範囲第１０項に記載の表示装置。
【請求項１３】
上記第１の主面には、上記陰極からの電子放出を制御する電極が設けられ、該電子放出を制御する電極は該陰極の上部に設けられた絶縁部材の上面に配置されていることを特徴とする請求の範囲第１０項に記載の表示装置。
【請求項１４】
上記連結部材の上記第１の主面又は上記第２の主面に沿って広がる面には、上記陰極に対向して開口が設けられていることを特徴とする請求の範囲第１０項に記載の表示装置。
【請求項１５】
上記連結部材の開口の周囲には上記陰極の電子放出を制御する電極が設けられたことを特徴とする請求の範囲第１０項に記載の表示装置。
【請求項１６】
第１主面を有する第１の基板と第２主面を有し且つ該第２主面が該第１主面と対向するように該第１の基板と離間して配置された第２の基板と、上記第１の基板と上記第２の基板とを連結し且つ上記第１の主面と第２の主面との間隙を囲む支持部材と、上記第１主面と上記第２主面との間に配置され且つこれらの主面を隔てる上記間隙に沿う主面を有する複数の壁部材と、上記第１主面に形成された陰極と、上記第２主面に形成された蛍光体及び該蛍光体を被うように形成された陽極とを備え、上記複数の壁部材の各々は上記第１の主面又は上記第２の主面に沿う主面を有する連結部材に結合されていることを特徴とする表示装置。
【請求項１７】
上記連結部材の主面には、上記第１の基板に設けられた陰極に対向する開口が設けられていることを特徴とする請求の範囲第１６項に記載の表示装置。
【請求項１８】
上記複数の壁部材は、上記連結部材の上記第１基板側の主面及び上記第２基板側の主面の各々に設けられていることを特徴とする請求の範囲第１６項に記載の表示装置。
【請求項１９】
上記連結部材の第１基板側の主面に設けられた上記複数の壁部材のうちの一群と上記第２基板側の主面に設けられた該複数の壁部材のうちの他の群とは、夫々の主面が交差するように配置されたことを特徴とする請求の範囲第１８項に記載の表示装置。
【請求項２０】
上記連結部材の第１基板側の主面に設けられた上記複数の壁部材のうちの一群と上記第２基板側の主面に設けられた該複数の壁部材のうちの他の群とは、上記間隙に沿う夫々の高さが異なることを特徴とする請求の範囲第１８項に記載の表示装置。
【発明の詳細な説明】
技術分野
本発明は真空中への電子放出を利用した表示装置に関し、特に表示特性が良く、かつ組み立てやすい表示装置の構造とその製造方法に関するものである。
背景技術
真空中への電子放出を利用した表示装置（以下、電子放出型表示装置又は電界放出型表示装置と呼ばれる）には、Ｃ．Ａ．Ｓｐｉｎｄｔらにより発案されたスピント型と称する電子放出構造を持つ種類（例えば、米国特許第３４５３４７８号公報、特開２０００−２１３０５号公報参照）、量子論的トンネル効果による電子放出現象を利用する種類（表面伝導型電子源とも呼ばれる、特開２０００−２１３０５号公報参照）、固体物質内で電子を加速して放出するもの、さらにはダイヤモンド膜やグラファイト膜、カーボンナノチューブの持つ電子放出現象を利用した群（「真空」…Ｊｏｕｒｎａｌ　ｏｆ　Ｖａｃｕｕｍ　Ｓｏｃｉｅｔｙ　ｏｆ　Ｊａｐａｎの日本語版，Ｖｏｌ．４２，Ｎｏ．８．（１９９９），ｐａｇｅｓ７２２−７２６参照）等が知られている。
電界放出型表示装置の一例を第５７図に模式的に示す。第５７図の（ａ）は、この表示装置を分解して示す斜視図、（ｂ）は組み立てられた表示装置の断面図を夫々示す。第５７図（ａ）に示すように、電界放出型表示装置はガラス、アルミナ等からなる基板を含めた陰極基板１とガラス又はこれと同等又はこれ以上の光透過率を有する材料からなる基板を含めた陽極基板２とを、夫々の主面の周縁部に支持枠３０（側板とも呼ばれる）の上面又は下面を合わせて組み立てられる。陽極基板２は、電子源が設けられた陰極基板１に対向して配置されるため、対向基板とも呼ばれる。図示された例では、陰極基板１はガラス基板６上に電子源（電子放出部）とこの電子放出を制御する為の電気的配線とが形成されている。これらの詳細に関しては後述するが、電子放出部を動作されるための２種類の配線群は、図示された絶縁膜８により分離されている。ガラス基板６の面積（ｘｙ平面）支持枠３０より広く、その周縁には上記配線群の一方（制御電極又はゲート電極と呼ばれる）に電流を供給する端子５０（制御電極端子）及び他方（陰極と呼ばれる）に電流を供給する端子７０（陰極端子）が設けられている。上記ガラス基板６は、ガラスやアルミナ等のセラミックスに限定されず、例えば表面を絶縁膜でコートしたステンレス等の金属膜で形成してもよい。一方、この陰極基板に対向した陽極基板２はガラス又はこれと同等又はそれ以上の光透過性を有する材料からなる基板上に電極、蛍光体等が形成される。陰極基板１と陽極基板２との間には、ガラス等からなる支持枠３０が挿入され、これと陰極基板１及び陽極基板２の夫々の主面に囲まれた空間は１０−５〜１０−７Ｔｏｒｒの真空に排気される。この空間の真空を保つため、支持枠３０は陰極基板１及び陽極基板２の夫々にフリットガラス等により密着される。支持枠３０には、この空間を大気から遮断し真空に保つ機能が要請されるため、しばしば密封枠とも呼ばれる。上記ガラス基板６の上面に示した点線は、これに支持枠３０の外周が当たる位置を示し、上記絶縁膜８はこの真空に維持される空間の内部に収まるように形成される。従って、電界放出型表示装置は陰極基板１から真空に保たれた上記空間に電子を放出し、電子放出部と陽極基板２に設けられた電極との電位差により電子を加速して、陽極基板２に設けられた電極に当てて上記蛍光体を光らせる。蛍光体を光らせるために要する電子のエネルギーは６０００ｅＶ（ｅＶ＝電子ボルト）程度に至るため、陰極基板１と陽極基板２との間には６ｋＶ程度の高い電位差が設けられる。このため、陰極基板１と陽極基板２との対向しあう主面間に１ｃｍ又はそれ以上の隙間を設け、これらの基板間における絶縁破壊を防止する。なお、第５７図（ａ）の直交座標は、これ以外の斜視図、平面図、断面図、及び等価回路図に示される直交座標とともに、夫々の図に示される構造物又は回路の配置を関連付ける。
第５８図は、上述のスピント型電子源を備えた電界放出型表示装置の一例を説明する図であり、（ａ）はその等価回路を、（ｂ）は電子源の近傍の平面図を、（ｃ）は（ｂ）におけるＣ−Ｃ線に沿った断面図を夫々示す。第５８図（ａ）は、ｍ行ｎ列に配列された画素毎に電子放出部を設けた表示装置の構成を示す。第５８図（ａ）におけるＧ，Ｂ，Ｒと付された箱は、画素毎に設けられた電子放出部（電子源）を示す。電子放出部の各々から放出される電子は、陽極基板２に設けられた夫々の蛍光体にエネルギーを与え、電子放出部Ｇは緑の、電子放出部Ｂは青の、電子放出部Ｒは赤の光を蛍光体から放出させる。第５８図（ａ）にてｙ軸方向に並ぶｍ個の電子放出部の各々には、映像信号駆動回路（水平走査回路）Ｈから端子７０及びｙ軸方向に延びる陰極７を通して、所定の電圧が印加される。一方、第５８図（ａ）にてｘ軸方向（ｙ軸に交差する方向）に延びる制御電極５には、ｘ軸方向に並設された複数の上記陰極７（列番号：Ｘ１，Ｘ２，…，Ｘｎが付されている）の夫々との交差部分に陰極７を露出する開口が設けられる。ｙ軸方向に並設された制御電極５（行番号：Ｙ１，Ｙ２，…，Ｙｍが付されている）の各々には垂直走査回路Ｖから走査信号が端子５０を介してｙ軸方向に逐次供給される。各々の陰極７に印加される電圧は、走査信号が印加される制御電極５の行番号に応じて（制御電極５が変わる毎に）、適宜変調され、（Ｘｉ，Ｙｊ）のアドレス（Ａｄｄｒｅｓｓ）で特定される各画素に設けられた電子放出部からの電子の放出を制御し、所望のアドレスの画素に対応する蛍光体を発光させる。
第５８図（ｂ）は、第５８図（ａ）の等価回路を有する電界放出型表示装置にスピント型電子源を用いた場合の画素構造（電子放出部とその周囲）の平面図を示し、そのＣ−Ｃ線に沿った断面図を第５８図（ｃ）に示す。陰極７は、ガラス基板６上に形成されたＮｉ（ニッケル）、Ｃｒ（クロム）、Ａｕ（金）、Ｍｏ（モリブデン）、Ｗ（タングステン）、Ｐｔ（白金）、Ｔｉ（チタン）、Ａｌ（アルミニウム）、Ｃｕ（銅）、Ｐｄ（パラジウム）等の金属又はこれらを含む合金、ＩＴＯ（Ｉｎ２Ｏ３−ＳｎＯ２、インジウム−錫酸化物）、ＩＺＯ（Ｉｎ２Ｏ３−ＳｎＯ２、インジウム−亜鉛酸化物）、ＲｕＯ２（ルテニウム酸化物）等の金属酸化物、又は不純物をドープした半導体等の材料である。
制御電極５は、陰極７を覆うように成長された絶縁膜（制御電極用絶縁材）８の上面に形成された陰極７と同様な種類の導電性材料からなる薄膜である。制御電極５が陰極７を跨ぐ部分では、制御電極５及び絶縁膜８を貫く開口が設けられる。この開口により露出された陰極７の上面には、エミッタ・コーン（Ｅｍｉｔｔｅｒ　Ｃｏｎｅ）１００と呼ばれる円錐状又はこれに近い形状の電子放出部が形成される。エミッタ・コーン１００と陰極７とは導通されるため、陰極７と制御電極５との電位差は、エミッタ・コーン１００の先端と制御電極５との間に電位差ΔＶを発生させる。電位差ΔＶが数十ｅＶを越えると、第５８図（ｃ）に示すようにエミッタ・コーン１００の先端から電子がｚ軸に沿って放出される。この電子は、陽極基板を構成するガラス基板１３に設けられた陽極１０に当たり、これにより蛍光体１１を発光させる。蛍光体１１は、画素毎に遮光膜（ブラック・マトリクス）１２により分離されているため、画素の周縁に放出された電子がこの画素に隣接する画素の蛍光体を発光させることはない。
エミッタ・コーンは陰極７と同じ材料で形成してもよいが、これより仕事関数の小さい材料を用いると電子の放出効率も上がり、画像を明るく表示し易い。一方、陽極１０は上述のＩＴＯやＩＺＯ等の光透過性の高い導電性薄膜で形成してもよいが、アルミニウムや銀を蒸着して形成してもよい。このような反射率の高い金属薄膜で陽極１０を形成すると、蛍光体１１で生じた光のうち、陰極７側に伝播する成分をガラス基板１３側に反射できるため、その分、表示画像も明るくなる。このような効果を示すことから、反射率の高い金属薄膜で形成された陽極１０をメタルバックと呼ぶ。
以上の説明から明らかなように、この電界放出型表示装置は、そのユーザ（観測者）側に配置された陽極基板２に発光部を有するため、蛍光体１１から陰極基板１側に位置する部材の光の透過性は実質上不問となる。従って、ガラス基板６は不透明なセラミックスや金属の板に置換えることもできる。但し、ガラス基板に代えて金属等の導電性基板を用いる場合、その陽極基板側の主面に上述の陰極７を形成するため、この主面に絶縁膜を形成するか、または主面の抵抗値を酸化や窒化により高めることが必要となる。また、制御電極５は開口を有する金属又は合金等からなる導電性の板状部材で形成することもできる。この場合、制御電極用絶縁材８として上記複数の陰極７をｙ軸に沿って横切るように複数の絶縁体のブロックを互いに離間させて配置し、これらの間隙をフリット・ガラスのような絶縁性の接着剤で埋める。上述の導電性の板状部材は、この絶縁性接着剤により絶縁体のブロック上に固定される。なお、制御電極用絶縁材８は、以降、その機能がその形状（例えば、薄膜かブロック状等のバルクか）に特化されない限り、単に絶縁材８とも記す。
第５９図は、表面伝導型電子源を備えた電界放出型表示装置の概要を説明する図であり、（ａ）はその等価回路を、（ｂ）は電子源の近傍の平面図を、（ｃ）は（ｂ）におけるＣ−Ｃ線に沿った断面図を夫々、第５８図（ａ）〜（ｃ）と同じ要領で示す。第５９図（ａ）に示す等価回路から明らかなように、この図に示す電界放出型表示装置では、電子源Ｇ，Ｂ，Ｒの各々に、その電子源の位置する画素のアドレス（Ｘｉ，Ｙｊ）に対応したＹｊ行の陰極７とＸｉ列の制御電極５から電圧を印加して電子を放出させる駆動態様において、第５８図（ａ）のそれと異なる。
このような駆動形態が利用できる理由は、表面伝導型の電子源の形状に起因する。第５９図（ｂ）及び第５９図（ｃ）に示すように、表面伝導型電子源は、陰極７を覆う制御電極用絶縁材８の画素に対応する部分に開口９’を設け、この開口９’を介して制御電極用絶縁材８上に設けられた制御電極５と陰極７とを導電層５７にて接続し、その一部分にフォーミング処理（通電処理等）を施して、この部分（１０１）の抵抗を導電層５７の他の部分より高くする。導電層５７を制御電極５側と陰極７側に分割する高抵抗部分１０１が、表面伝導型の電子源（電子放出部）となる。この電子源は、制御電極５と陰極７との間に所定の電圧を印加したときに導電層５７−高抵抗部分１０１−導電層５７の接合に生じるトンネル効果を利用して、電子を放出させる。導電層５７は導電材料の微粒子等で形成するのが好ましく、高抵抗部分１０１の形成には上述の導電層５７のフォーミング処理のみならず、導電層５７への集束イオンビーム（Ｆｏｃｕｓｅｄ　Ｉｏｎ　Ｂｅａｍ）の照射等も利用できる。
表面伝導型の電子源を用いた表示装置は、第５８図（ａ）に示す等価回路でも動作できる。この場合、Ｘ１列〜Ｘｎ列の陰極７の各々として異なる電圧を有する一対の導電層を設け、少なくとも個々の画素に対応する位置において、陰極７を覆う絶縁材８に開口を設け、または絶縁材８を設けないようにする。この絶縁材に覆われない領域において一対の導電層を電気的に接続し、その接続部に上述の高抵抗部分を形成する。一方、制御電極５はこの高抵抗部分を挟み又は囲むように設け、その電位により高抵抗部分から放出される電子の通過と遮断を制御する。このように陰極７と制御電極５とを構成することにより、陰極７から放出される電子を陽極基板側に通過させる電位に設定された制御陰極５に応じて、Ｘ１列〜Ｘｎ列の陰極７からの電子放出を変調して画像を表示することができる。
従って、本明細書にて以下に記す電界放出型表示装置の陰極７、陽極１０、及び制御電極５は、これに設けられる電子放出部の種類により夫々の機能が相違する場合がある。このため、これらの要素は、その順に第１電極（電子放出部から電子を放出させる、所謂エミッタ）、第２電極（放出された電子が照射される、所謂コレクタ）、及び第３電極（第１電極から第２電極への電子の流れをオン・オフする）とも呼ぶことができる。
上述のスピント型電子源や表面伝導型電子源、その他の種類の電子源の電子放出作用の相違に問わず、これらから放出される電子により励起される蛍光体１１は、ブラウン管として知られる陰極線管と同じ蛍光材料を用いて形成できる。例えば、赤を表示する画素にはＹ２Ｏ２Ｓ：Ｅｕ，Ｓｍを、緑を表示する画素にはＺｎＳ：Ｃｕ，Ａｕ，Ａｌを、青を表示する画素にはＺｎＳ：Ａｇを夫々用いて蛍光体１１が形成される。ここで例示した各蛍光体材料は、コロンを挟んで「蛍光体結晶：付活剤」として表記される。付活剤は、蛍光体１１におけるその濃度やその種類、蛍光体結晶との焼成（合成）条件で蛍光体１１の残光特性等を決める。また、蛍光体１１が非発光時に黒又はこれに近い色（反射色）を呈するように、その表面には顔料がコートされる（この顔料コーティングが無い場合、蛍光体１１は灰色に近い色を反射し、表示画面をぎらぎらさせる）。
以上に説明した電界放出型表示装置において、陰極基板１及び陽極基板２の夫々の主面と支持枠３０とで囲まれた空間は、第５７図（ｂ）に示されるガラス基板６の裏面に設けられた排気口６１から排気され、その圧力が上述の値（真空度）に至るまで減圧される。この排気工程において、陰極基板１と陽極基板２とが、これらにより挟まれた空間と大気との圧力差により撓み、最終的にはこの空間が大気圧により押し潰されるのを防ぐ為に隔壁材３と称する部材を表示装置の真空空間に適切に配置している。この技術に関しては、例えば特開２０００−２１３３５号公報にて論じられている。
第６０図は上述した従来の電界放出型表示装置の構造の一例を模式的に描いたものである。この図は、画素（電子放出部）の周囲を拡大して示すものであり、上述の支持枠（側壁）３０は省略してある。隔壁材３は陰極基板１と陽極基板２の間に配置される絶縁性の材料である。絶縁抵抗は十分高く保たれるが、電子が衝突して帯電するのを防ぐ為に表面にわずかに導電性を付与する場合もある。上述の電界放出型表示装置の動作上、陰極基板１から陽極基板２へ真空中を走行する電子を妨げないように、出来るだけ薄く、かつ各画素間に適当な間隔で正確に位置決めして配置する必要がある。電界放出型表示装置の駆動においては陽極基板２（上述の陽極１０…図示せず）は陰極基板１（上述の陰極７…図示せず）に対してプラスの電位が印加される。電子を十分に加速して発光効率を確保する為に電位として数百ボルト以上、時には数千ボルト以上が使われる。高い電圧を使う場合には陰極基板１と陽極基板２間で電圧破壊が起きないように十分に間隔を確保する必要がある。例えば、陰極基板１と陽極基板２との間に数千ボルトの電位差を設定する場合、これらを少なくとも１ｍｍ以上隔てることが必要となる。一方隔壁材３の存在が表示画面に影響が出ないように例えば１００μｍの厚さが選ばれる。
発明の開示
上述のように、電界放出型表示装置を製造する上で、これに３０〜１５０μｍの範囲の厚さ（例えば、１００μｍ）と１ｍｍ以上の高さ（例えば、２〜３ｍｍの範囲のいずれかの値）を有する隔壁材３を正確かつ効率よく配置し、組み込む必要がある。また、この隔壁材３の数としては少なくとも大気圧による応力（例えば、ガラス基板１３の撓み）に耐えられるだけの数を配置する必要がある。この数は陰極基板１と陽極基板２、及び隔壁材３の強度によって大きく変わるが、例えば対角寸法が４０インチ（ｉｎｃｈ）・クラスの大型の電界放出型表示装置では少なくとも数百個以上、設計によっては数万個以上必要とする。
一方、この隔壁材３は、これに電子が衝突することにより、この表面から２次電子が発生したり、この表面が帯電する（チャージ・アップする）ことがある。これらの現象に因り、隔壁材３近くにおける電子の走行が妨げられ、電界放出型表示装置の表示画面内におけるの画素の表示性能の一様性を損なうことがある。この問題に対して、電子の走行空間を適切に制御すると共に隔壁材３を出来るだけ均一に配置することが重要になる。この目的に対し、例えば、陰極基板１と陽極基板２との間に配置される隔壁材３を十分に多くすることで、これらに囲まれた空間と大気圧との圧力差に対する表示装置の強度を確保すると共にその表示画面内の表示性能の一様性を維持する。
しかしながら、従来提案された隔壁材３の配置形態は、これを必ずしも効率的に且つ正確に適切な場所に配置するに十分でなく、これを用いて上述の電界放出型表示装置を大量に生産しようとすると生産性に著しい支障をきたす恐れがあった。
また、隔壁材３を陰極基板１と陽極基板２を一度に無機接着剤等で結合する所謂隔壁材３の一括配置を採用せず、陽極基板２及び陰極基板１のいずれか一方に隔壁材３を結合した後にこの一方に対向する他方を結合する製造方法も取られている。この方法においては、上記一括配置が困難な問題に加えて更に以下の問題が加わる。例えば、最初に陰極基板１と隔壁材３を結合させる場合、隔壁材３が少なくとも製造工程中にその位置が変わらないように無機接着剤などで固着する。この固着工程で陰極基板１に設けられた電子放出部への影響が無視できない熱処理（例えば、５００℃前後の熱処理）が加わるため、陰極基板１に予め設けられた電子放出部の電子放出性能を劣化させる確率が大きい。しかもこの電子放出性能の劣化は隔壁材３付近で著しくなり、結果的にこの電界放出型表示装置の表示特性で面内の一様性が損なう。無機接着剤の処理温度としてより低温度の材料も存在するが、最初に陰極基板１と隔壁材３を結合させる場合、その後の組立工程で使われる温度で軟化、変形する接着剤は使えない。このため最初の組み立てで使用する接着剤の処理温度は最も高い温度で処理するように設定しなければならない。なお、隔壁材３が結合された陰極基板１に電子放出部を設けることは、既に例示した電子放出部の構造からして事実上困難である。
また、最初に陽極基板２と隔壁材３を結合させる場合も同じく陽極基板２に無視できない熱処理、例えば５００℃前後の熱処理が加わり、陽極基板２に予め形成された蛍光体１１の発光効率を劣化させる危険性がある。しかもこの発光効率の劣化は隔壁材３付近で著しくなり、結果的にこの電界放出型表示装置の表示特性で面内の一様性が損なわれる危険性がある。なお、隔壁材３が結合された陽極基板２に蛍光体１１を設けることも、この陽極基板２の構造上困難である。
本発明は上記の問題点を解決するものであり、隔壁材３を表示性能を損なうこと無く、効率的かつ正確に配置することの出来る構造と、その製造手段とを提供することを目的としている。
この目的に対し、本発明は次の表示装置を提供する。
本発明による表示装置の一つは、電子放出部が設けられた陰極基板とこの電子放出部から放出された電子の照射により発光する発光部（例えば、蛍光部）が設けられた陽極基板とを所定の間隙（距離）を以って離間させる複数の隔壁材を一括する（個々の隔壁材に連結し、これらの位置関係を保持する）「隔壁材連結保持板」を有することに特徴付けられる。以降、この表示装置を本発明による第１の表示装置とも呼ぶ。
本発明による表示装置の他の一つは、電子放出部が設けられた陰極基板とこの電子放出部から放出された電子の照射により発光する発光部（例えば、蛍光部）が設けられた陽極基板とを所定の間隙（距離）を以って離間させる複数の隔壁材と、上記電子放出部から陽極基板への電子の流れを制御する電極（制御電極）とを、一括する（個々の隔壁材及び電極に連結し、これらの位置関係を保持する）「隔壁材・制御電極連結保持板」を有することに特徴付けられる。以降、この表示装置を本発明による第２の表示装置と呼ぶ。
これらの表示装置は、例えば電界放出型表示装置のように、これを構成する２つの基板（板状部材）を液晶表示装置やプラズマ・ディスプレイ・パネルよりも広く離間させる装置に適用され、特に２つの基板間を大気圧より低い圧力に保つ場合に有効である。また、２つの基板間で荷電粒子を走行させることにより画像表示を行なう電界放出型表示装置に、多くの利点をもたらす。
本発明によれば、上述の第１及び第２の表示装置に問わず、これらの構成要件を組合せ、上記表示装置の構成要件をその代替物に置換え、又は上記表示装置に更に新たな構成要件を加えることで、新たな表示装置を提供することもできる。本発明に係る上述の及びその他の目的、特徴、及び効果は以降の記載とこれに付された図面とを関連させることにより、更に明確にされよう。
発明を実施するための最良の形態
以下、図面を参照しながら本発明を説明する。
第１図は本発明による第１の表示装置を概念的に説明するための説明図で、その表示装置の画素（電子放出部）付近の配置を簡略に示す。第１図は、本発明による第１の表示装置の構造的な特徴を強調するために、この特徴に直接関与しない以下の部分が省略されている。
（１）隔壁材（壁部材）３と隔壁材連結保持板（連結部材）４、または隔壁材３と隔壁材・制御電極連結保持板（連結部材、後述）４を結合する手段（例えば、接着剤）。
（２）電界放出型表示装置内を真空に保つ為の支持枠（側壁）３と、陰極基板１と、陽極基板２とを気密に封止する手段。
（３）隔壁材３と陰極基板１、又は隔壁材３と陽極基板２を固定する手段。
（４）電界放出型表示装置内（電子を走行させる筐体内）を真空封じする為の機構（例えば、筐体に設けられた排気口）。
（５）電界放出型表示装置内を高真空に維持する為のゲッタ材。
（６）陰極基板１、陽極基板２、隔壁材連結保持板４または隔壁材・制御電極連結保持板４を電気的に接続する手段。
（７）陰極基板１に設けられた電子を真空中（上記筐体内）へ放出する手段（上述の電子放出部）。
これらの構成要素は、後述する本発明の実施例（以下、実施例と呼ぶ）にて参照する他の図面においても省略されるが、いずれかの構成要素、またはその組合わせに特徴のある実施例に参照する図面においては適宜示される。
第１図に示された構造を有する電界放出型表示装置は、陰極基板１、陽極基板２、及び図示されない支持枠（側壁）により囲まれた空間（筐体）を有し、且つこの空間内を真空に保つ気密性と強度を持っている。第５７図（ｂ）を参照して説明すれば、陰極基板１（ガラス基板６として示される）及び陽極基板２は、夫々に加わる上記空間内と大気圧との圧力差に因るｚ軸方向の応力（撓み）で破壊されない程度の強度を有する。陽極基板２は陰極基板１に対してプラス（正）の電位が印加され、且つ陰極基板１から飛来した電子を受けて発光する蛍光体１１を有する。
この陰極基板１と陽極基板２の間には、複数の隔壁材３とこれらが機械的に結合された隔壁材連結保持板４とにより構成される隔壁材集合体１７が配置されている。隔壁材３は電子の走行方向に沿った面を有し、この面の下辺を陰極基板１に、この面の上辺を陽極基板２に夫々接触させることにより陰極基板１と陽極基板２との間に所望の間隙を形成する。隔壁材３と隔壁材連結保持板４との連結形態には種々の例がある。また隔壁材３及び隔壁材連結保持板４の形状と配置にも種々の形態があり得る。これらの組み合わせのうち代表的な形態を以下の実施例で説明するが、ここに述べる実施例だけが本発明の特徴を実現するものではない。
第２図は本発明による第２の表示装置を概念的に説明するための説明図で、その表示装置の画素（電子放出部）付近の配置を第１図と同様に簡略に示す。
第２図に示された構造を有する電界放出型表示装置は、陰極基板１、陽極基板２、及び図示されない支持枠（側壁）により囲まれた空間（筐体）を有し、且つこの空間内を真空に保つ気密性と強度を持っている。
陰極基板１は電子を上記空間（真空）中へ放出する手段を有し、且つこの空間を真空に保ち得る気密性と強度を持っている。陽極基板２は陰極基板１に対してプラス（正）の電位が印加され、且つ陰極基板２から飛来した電子を受けて発光する蛍光体１１を有する。陽極基板２も陰極基板１と同様に、上記空間内を真空に保ち得る気密性と強度を持っている。陰極基板１と陽極基板２の間には、複数の隔壁材３、これらが機械的に結合された隔壁材連結保持板４、及び制御電極５から構成された隔壁材・制御電極集合体１８が配置されている。隔壁材３は電子の走行方向に沿った面を有し、この面の下辺に固定された制御電極５を陰極基板１に、この面の上辺を陽極基板２に夫々接触させることにより陰極基板１と陽極基板２との間に所望の間隙を与える。隔壁材３と隔壁材連結保持板４との連結形態には種々の例がある。また隔壁材３、隔壁材連結保持板４及び制御電極５の形状と配置にも多くの形態がある。これらの組み合わせのうち代表的な形態を以下の実施例で説明するが、ここに述べる実施例だけが本発明の特徴を実現するものではない。
上述の本発明による第１及び第２の表示装置の夫々に設けられる隔壁材３は、真空（例えば、１０−５〜１０−７Ｔｏｒｒの圧力）に保たれた上記空間（上記筐体内）を第５７図に示すｘ軸方向又はｙ軸方向に沿って完全に仕切る必要はなく、これと陰極基板１又は陽極基板２との間に筐体内の真空排気のコンダクタンスを上げるに好ましい開口が形成されるような形状にしても本発明の実施に支障を来たすものでない。また、隔壁材３は上記筐体内での電子の走行を妨げないために、その走行方向（陰極基板１主面から陽極基板２主面に引かれる仮想的な線の延伸方向、第２図におけるｚ軸方向）に沿って広がる面（例えば、第２図におけるｙ−ｚ面やｘ−ｚ面）を有する板状部材とすることが望ましい。電子の走行方向に沿った面は、電子の走行を妨げない範囲において電子の走行方向に対し傾斜を示してもよい。また、隔壁材３の電子の走行方向に沿った面（第２図の例ではｙ−ｚ面）の面積を、この面の各辺にて接する他の面の面積より大きく（広く）することにより、表示画面（第２図のｘ−ｙ面）における電子の走行領域（換言すれば陽極基板２における電子の照射領域）の面積比を大きくできる。このように形成された隔壁材３の電子の走行方向に沿った面（他の面に比べて広い）は、「隔壁材の主面」とも呼ばれる。表示画面における電子の走行領域の面積比を大きくすることは、表示装置の画素数の増加に望ましく、また個々の画素の輝度を上げる利点をもたらす。隔壁材３には、その強度を損なわない限りにおいて、開口を設けてもよい。隔壁材３と呼ばれる部材は、その視覚的な特徴に基づき、本願明細書において、この名称にて特定されるが、表示装置における実施態様に応じて壁部材や、板状部材、プレート（Ｐｌａｔｅ）として呼ばれ得る。
上述の本発明による第１及び第２の表示装置の夫々に設けられる隔壁連結保持板４は、上記複数の隔壁材３を上記陰極基板１や上記陽極基板２に固定することなく、これらの基板間に配置するために各々の隔壁材３と機械的に固定されるように形成される。隔壁連結保持板４と隔壁材３との機械的な固定は、例えば、隔壁連結保持板４に開口部を設け、この開口部に隔壁材３に設けた突起部を嵌め込むことにより、また隔壁連結保持板４の面に隔壁材３の面を接着剤やソルダにより固定することにより達成できる。表示装置における電子が走行する空間を排気する際に生じる大気圧による陰極基板１又は陽極基板２の撓みは隔壁材３により吸収されるが、隔壁材３をこれらの基板に固定していない場合、隔壁材３の各々は基板から加わる応力を緩和するために、夫々の位置が変動し得る。このような変動は、電子の走行方向に沿った夫々の面が互いに交差する２種類の隔壁材３を組合わせた上記特開２０００−２１３３５号公報に開示される一例でも生じる。この変動は、画素毎に電子の走行領域の形状や容積を変え、陽極基板への電子照射条件を画素毎に異ならせ得る。しかしながら、本発明による表示装置に設けられる隔壁連結保持板４は、その上記筐体内における電子の走行方向（第２図におけるｚ軸方向）に交差するように広がる面（例えば、第２図におけるｘ−ｙ面）で上記複数の隔壁材３の各々に接合する。例えば、隔壁連結保持板４の電子の走行方向に交差する面に上述の開口部を設け、この開口部に隔壁材３の各々に設けた電子の走行方向に沿って突き出る上述の突起部を嵌める。このような接合により、特定の隔壁材３に大きく加わる応力（第２図ではｚ軸方向）を、隔壁連結保持板４の電子の走行方向に交差する面内（第２図ではｘ−ｙ面）を通して他の隔壁材３に分散し、画素間における電子の走行条件の相違を抑える。また、隔壁連結保持板４の電子の走行方向に交差する面には陰極基板２に設けられた電子放出部の各々に対応して複数の開口（上述の突起部が嵌められる開口部とは別）が設けられる。電子放出部から放出される電子（荷電粒子）は、電荷を有するため、陰極基板１から陽極基板２に向けて空間電荷効果を受けながら、第５８図（ｃ）及び第５９図（ｃ）に示すように所定の軌道に沿って走行する。このため、隔壁連結支持板４に設けられた開口は、陽極基板２に到達する電子を制限するより、むしろ、この電子軌道を成形する所謂電子レンズ（又はその類似物）として働く。従って、電子放出部に対応する開口をその形状を揃えて隔壁連結支持板４に設けることにより、電子放出部毎（換言すれば、画素毎）の電子走行条件が揃う。これにより、陽極基板への電子照射が画素毎に相違する問題が解消され、表示装置の画面に亘り各画素の蛍光体をばらつきなく発光させることができる。この効果は、表示装置に「ムラ」のない画像を表示させるという大きな利点をもたらす。このような筐体内での電子の走行方向（第２図におけるｚ軸方向）に交差する面を有する隔壁連結保持板４は、板状に形成することが望ましい。板状部材として形成される隔壁連結保持板４は、その電子の走行方向に交差する面（第２図の例では、ｘ−ｙ面）の面積を、その各辺にて接する他の面（第２図の例では、ｘ−ｚ面やｙ−ｚ面）の面積より大きく（広く）する。このように形成された隔壁連結保持板４の電子の走行方向に交差する面（他の面に比べて広い）は、「隔壁連結保持板の主面」とも呼ばれる。板状に形成された隔壁連結保持板４は、その主面による複数の隔壁材３を連結し且つ保持する性能を損なうことなく、筐体内における電子の走行領域（第２図のｚ軸方向）を十分に広げることができる。筐体内における電子の走行領域が広がると、この電子の軌道は上述の隔壁連結保持板４の主面に設けられた開口によるレンズ効果に大きく依存する。このため、陰極基板２の電子放出部の各々に対応させて隔壁連結保持板４の主面に設けた開口の形状を一様に設計する限りにおいて、いずれの電子放出部（画素）においても電子は陰極基板１から陽極基板２に同様な軌道で走行でき、その結果、画素間におけるの輝度のバラツキも解消される。さらに、上記本発明による第２の表示装置では、隔壁連結保持板４の基材を絶縁材料で形成し、その主面の開口を囲むように導電材料の膜を形成することで、制御電極を形成できる。なお、隔壁連結保持板４と呼ばれる部材は、その視覚的な特徴に基づいて、この名称にて本願明細書では特定されるが、その実施態様に応じて連結部材や、連結板、ジョイナ（Ｊｏｉｎｅｒ）とも呼ばれ得る。
さらに、上述及び後述の説明における陰極、陽極（メタルバック）、制御電極の機能は、既に説明した通り、表示装置に設けられる電子放出部（電子源）の形態やその駆動方法により変わり得る。従って、陰極、陽極、制御電極は、この順に、第１電極（電子放出部から電子を放出させる）、第２電極（放出された電子を受ける）、及び第３電極（第１電極から第２電極への電子の流れを調整する）とも呼ぶことができる。
但し、以下の各実施例においては、夫々の参照番号に対して、３：「隔壁材」、４：「隔壁材連結保持板」、又は単に「連結板」、５：「制御電極」、７：「陰極」、８：「制御電極用絶縁材」又は単に「絶縁部材」、１０：「メタルバック」又は「陽極」と便宜的に呼ぶ。また、表示装置において電子の走行する空間（上記筐体）は、この内部を真空に保つ機能を有することから、真空槽、気密手段とも呼ばれる。
＜第１の実施例＞
第３図乃至第５図は本発明の第１の実施例を説明する図である。第１図において、陰極基板１は陰極用ガラス基板６、陰極７、制御電極用絶縁材（以下、絶縁材）８及び制御電極５から構成される。陽極基板２は陽極用ガラス基板１３、蛍光体１１、ブラックマトリクス１２及びメタルバック１０から構成されている。また第４図は第３図のＣ−Ｄ断面を示している。陰極基板１において、陰極７と制御電極５は互いに交差するように配置されており、それぞれ導電性を持つ材料が選ばれている。この２種類の電極間を絶縁する目的で絶縁材８が配置されている。陰極７は制御電極５にプラスの電位が印加された時に電子を真空空間に放出する機能を有し、炭素原子を利用したダイヤモンド膜、グラファイト膜あるいはカーボンナノチューブ（Ｃａｒｂｏｎ　Ｎａｎｏ　Ｔｕｂｅ；ＣＮＴ）に加え、円錐状の先端から電子を放出するいわゆるＳｐｉｎｄｔ構造、量子的トンネル効果を利用する材料などが使われる。制御電極５には第４図のように制御電極孔９が設けられている。この実施例では制御電極孔９は円形に形成されているが正方形または矩形でも同じ機能を有する。制御電極５を図のように設置する手段としては金属板を機械加工、レーザ加工あるいはフォト・エッチング（被加工物上にＰｈｏｔｏｌｉｔｈｏｇｒａｐｈｙでパターンを描き、これをマスクとして被加工物をＥｔｃｈｉｎｇする手法）することによって制御電極孔９を形成して配置する。
一方、陽極基板２においては、陽極用ガラス基板１３上に電子の入射によって赤（Ｒ）、緑（Ｇ）及び青（Ｂ）を発光する蛍光体１１が空間的に塗り分けられている。この３色の蛍光体１１の間には混色を防ぐ為にブラックマトリックス１２が配置されている。また、これら蛍光体１１とブラックマトリクス１２の上には導電性を有し、かつ陰極基板１から走行して来た電子を透過して蛍光体１１と衝突させ、発光した光を陽極用ガラス基板１３側に反射させる機能を持つメタルバック（陽極）１０を前面に形成されている。
以上の構成を持つ陰極基板１と陽極基板２の間に、隔壁材３とこれに連結する隔壁材連結保持板（以下、連結板）４から構成される隔壁材の集合体１７がある。実際に電界放出型表示装置を組み立てるにはこれら３つの構成部品に加え、大気を遮断する為の側壁と、これら４つの部品を気密を保ちながら連結する手段、真空封止の手段、ゲッタリング手段、及び陰極７、制御電極５、隔壁材の集合体１７（Ａｓｓｅｍｂｌａｇｅ）ならびにメタルバック１０へ電気的に接続する手段を付加するがこれらは図面及び詳細説明から省かれている。このように隔壁材３とこれに連結する連結板４とを隔壁材の集合材１７という一つの部品に機械的（物理的）にまとめることによって電界放出型表示装置の組み立てが極めて容易になる。第３図において、隔壁材集合体１７のＡ−Ｂ断面を第５図に示す。
第５図は隔壁材３が隔壁材連結保持板（連結板）４を一部貫いており、陰極７側で接着剤１５によって固着されている構造を示している。連結板４には電子線通過孔（開口）１４があり、電子の大部分はこの開口を通って陽極基板２に到達する。
隔壁材３は陰極基板１と陽極基板２の間を隔てる為に設置されるので、その電気的特性は絶縁物である。しかし必要に応じて適切に導電性を持たせて表面の電子による帯電を防止することがある。この適切な導電性は隔壁材３の体積全体ではなく表面にのみに付与することもある。隔壁材３の材料として、セラミックス、無機ガラス、結晶化ガラスなどが使われる。あらかじめ焼結・固化、または半焼結・固化したセラミックス、無機ガラス、結晶化ガラス製の隔壁材３を接着剤１５により連結板４に固着される。
連結板４は絶縁物、半導体、および金属材料が使用できる。電子が付着することにより全体又は局所的に帯電して画素の電界分布が不安定になる場合には適切な導電性を持ち、かつその電位を制御する電気的装置に接続されていることが望ましい。この第１の実施例では電位として第３図の陽極基板２の電位、具体的にはのメタルバック１０の電位にほぼ等しい電位に保持されている。陽極電位と同じに設定するのがもっとも簡単であるが、電子の集束状態をより適正に維持する為に陽極電位と異なった電位を選択してもよい。
連結板４は、表面に導電性の膜を形成した絶縁物、又は金属製材料の部材を使用するとよい。いずれの場合でも陰極用ガラス基板６及び陽極用ガラス基板１３に線熱膨張係数を略一致させることが望ましい。絶縁物として、セラミックス、又はガラスの板を用いる場合、これに電子線通過孔１４と隔壁材挿入孔２１とを開ける。これらの孔はレーザ加工や機械加工、又はフォト・エッチング法等の既存の加工方法で形成できる。また、雲母板は優れた耐熱性、耐絶縁性、弾力性を有し、真空中でのガスの発生も少ないため、連結板４の作製に好適な材料の一つである。絶縁物の部材に導電性を付与するには、その表面に例えばニッケル金属（Ｎｉ）、タンタル金属（Ｔａ）の膜をスパッタリング法で形成する。連結板４の一方の主面に導電性を持たせる場合は、電子が衝突しやすい陰極基板１側に金属層を設けるとよい。一方、連結板４の作製に適した導電性材料として、例えば鉄（Ｆｅ）、鉄・ニッケル合金（ＦｅＮｉ）、鉄・ニッケル・クロム合金（ＦｅＮｉＣｒ）、又は鉄・ニッケル・コバルト合金（ＦｅＮｉＣｏ）やアンバー材がある。
＜第２の実施例＞
第６図は、第３図に示す隔壁材の集合体１７を隔壁材連結保持板４の陽極基板側で接着剤１５により隔壁材３を固定した第２の実施例を、第３図のＣ−Ｄ断面として示す。接着剤１５を陽極基板側に供給することで、これが電子の流れに直接曝されるのを防止できる。
＜第３の実施例＞
第７図、第３図に示す隔壁材の集合体１７を接着剤を用いずに、隔壁材３と隔壁材連結保持板４との機械的摩擦と弾性変形とを利用して組み立てた第３の実施例を、第３図のＣ−Ｄ断面として示す。本実施例では、隔壁材３又は隔壁材連結保持板（連結板）４の少なくとも一方を弾力性のある素材で形成することで、実施できる。第８図は本実施例に使用する連結板４の一例の主面を示す平面図で、この主面に隔壁材３を挿入するための隔壁材挿入孔（以下、開口部）２１が設けられている。この開口部２１は、第９図の各々に拡大して示される。第９図（ａ）は隔壁材挿入孔２１の長さｌａの範囲で開口部２１が矩形でなく折れ曲がった形状を持つ例を示す。ここで、ｔａがゼロ（０）でない。また、第９図（ｂ）は開口部２１の一部ｌｂ（長さｌｂの部分）を折り曲げた例を示す。この例でもｔｂがゼロでない点に特徴を有する。
弾力性のある素材として、例えば雲母板がある。連結板４を鉄系合金で、隔壁材３を雲母で夫々形成すると、隔壁材３の開口部２１に嵌められた部分が弾性変形し、その弾性摩擦力で連結板４に結合する。本実施例は、接着剤を使用せず、機械的な加工と組み立てだけで隔壁材集合体１７が作製できる利点を有する。また、連結板４と隔壁材３の両方を雲母板で形成してもよい。
＜第４の実施例＞
第１０図は、第３図の隔壁材集合体１７を別の連結態様で組み立てた第４の実施例を示す。本実施例では、隔壁材３が隔壁材連結保持板４に挿入されて機械的な摩擦力で固定されるが、その端部が隔壁材連結保持板４の一方の表面と略一致している。隔壁材挿入孔２１は第８図乃至第９図に示す形状に成形することもできる。この構造では、隔壁材連結支持板４の一方の主面に凹凸が生じないため、平面の作業台上で隔壁材３を隔壁材挿入孔２１に挿入できる。
＜第５の実施例＞
第１１図は、第３図の隔壁材集合体１７を別の接着方法で組み立てた第５の実施例を示す。隔壁材３は隔壁材保持板４に設けられた隔壁材挿入孔（開口部）２１に挿入され、隔壁材保持板４の裏面（陽極基板２側の主面）に略一致する隔壁材３の挿入端部（上部）は接着剤１５で隔壁材保持板４に固定される。この構造では、接着剤１５の塗布領域が略平坦なため、組立作業性及び塗布精度を向上させる。
＜第６の実施例＞
第１２図は、第３図の隔壁材集合体１７を、焼結セラミックスからなる隔壁材３をグリーンシート等と称する焼結前のセラミックスを設けたした隔壁材連結保持板（連結板）４の主面に配置し、このセラミックスを所定の温度で焼結して組み立てる第６の実施例を示す。本実施例の連結板４の作製には、上記焼結温度に耐える金属、セラミックス、及びガラス等が用いられる。また、焼結前のセラミックスを連結板４の主面に配置する方法として、連結板４の主面へのスクリーン印刷法によるセラミックス材料の供給を複数回繰り返す方法、グリーンシートを埋め込んだロール型を連結板４の主面に押し付けて転写する方法等がある。いずれの方法を採用しても、複数の隔壁材３を連結板４に同時に形成できるので、表示装置の生産効率向上に好適である。
＜第７の実施例＞
第１３図は、上述の実施例とは異なる陰極基板構造を有する第７の実施例の表示装置を示す。第１３図のＣ−Ｄ断面を第１４図に示す。制御電極５には制御電極孔９があるが、これに対応する絶縁材８の開口８９を覆うことはない。換言すれば、制御電極孔９の輪郭が絶縁材８の開口８９内に入らない。本実施例では、金属板に機械加工、レーザ加工、又はフォト・エッチング法で制御電極孔９を形成し、第１３図に示す制御電極５を作製する。また、絶縁材８上に金属材料を蒸着、スパッタ、イオン・プレーティング等で供給して金属膜を形成し、これにフォト・エッチングで制御電極孔のパターンを形成しても、また、絶縁材８上に導電性のペースト状材料を塗布し、これにスクリーン印刷法で直接パターンを形成しても、制御電極５を作製できる。
＜第８の実施例＞
第１５図は上述の実施例とは異なる隔壁構造を持つ第８の実施例を示し、隔壁材３がその長手方向に分断されている構造に特徴を有する。隔壁材３は電界放出型表示装置の全体に亘り連続している必要はなく、分断されることで、隔壁材３と隔壁材連結保持板４との熱膨張係数の差に因る起こる応力が緩和できるため、隔壁材３に用いる材料の選択範囲も広がる。
＜第９の実施例＞
第１６図は、隔壁材３を制御電極５の延伸方向に交差（直交）するように配置した第９の実施例を示す。このような配置により、制御電極５を隔壁材集合材１７で押さえて、表示装置の構造的安定性を高める。
＜第１０の実施例＞
第１７図は、第９の実施例の隔壁材３をその長手方向に分断したその長手方向に分断した第１０の実施例を示す。実施例８と同様、隔壁材３と隔壁材連結保持板４との熱膨張係数差に因ってこれらの間に生じる応力が緩和できるため、隔壁材３に用いる材料の選択範囲も広がる。
＜第１１の実施例＞
第１８図は、第９の実施例の制御電極５を棒状に形成した第１１の実施例を示す。第１９図は第１８図のＣ−Ｄ断面を示す。第１８図に示されるように、本実施例の制御電極５は、第１制御電極１９と第２制御電極２０の２本が一対となって陰極７の各々の電子放出を制御する。第１制御電極１９と第２制御電極２０とを同じ電位に設定する場合、これらの機械的強度を上げるために、絶縁膜８の開口８９（この中に電子放出部が配置される）以外の位置で、第１制御電極１９と第２制御電極２０とを機械的に連結させてもよい。なお、陰極７の面積に応じ、制御電極５を構成する棒状電極を３本以上に増やしてもよい。第１９図に示す制御電極５は矩形の断面を有するが、この断面を円形や楕円形としてもよい。本実施例の構造の利点は、上述の棒状の制御電極を機械加工、レーザ加工、又はフォト・エッチング法のみならず、複数の線材を各々の端部を連結した部品を用いても形成できる点にある。また、制御電極５はその上部から隔壁３で押さえられているため、電界放出型表示装置の構造的な安定性も増す。
＜第１２の実施例＞
第２０図は、上述の実施例とは異なる形状の隔壁集合体を用いた第１２の実施例を示し、第２０図のＡ−Ｂ断面を第２１図に示す。この実施例では、隔壁材３を連結板４の隔壁材挿入孔（開口部）２１に嵌め合せず、その陰極基板１側の主面に接着剤１５で固定する。本実施例の構造では、連結板４の一方の主面（第２１図の上面）が平坦に保たれるので、これに隔壁材３を連結する作業が平面の作業台上で可能になり、開口部２１を設けない分、連結板４の加工も容易となる。
＜第１３の実施例＞
第２２図は、第１２の実施例に類似する隔壁材集合体１７を、接着剤１５を主として連結材４の主面と隔壁材３の端面との間に塗布して組み立てた第１３の実施例を示す。この実施例の構造は、連結材４の一方の主面（図示される上面）に平坦に保たれ、且つ開口部２１の形成も不要なため、第１２の実施例と同様な利点をもたらし、更に接着剤１５が平坦な面に塗布されるので組立て作業の効率も上げる。
＜第１４の実施例＞
第２３図は、隔壁材３を焼結セラミックスで形成し、これらをグリーンシート等と称する焼結前のセラミックスが塗布された隔壁材連結保持板（連結板）４の主面に配置し、この焼結前のセラミックスを所定の温度で焼結して連結板４の主面に隔壁材３を固定して隔壁材集合体を組み立てる第１４の実施例を示す。連結板４の材料には、この焼結温度に耐える金属、セラミックス、及びガラスのいずれかが選ばれる。また、焼結前のセラミックスを連結板４の主面に配置する方法として、第６の実施例と同様に、スクリーン印刷法の繰り返しや、グリーンシートが埋め込まれたロールを連結板４の主面に押し付けて転写する方法等がある。本実施例の構造は、連結板４の一方の主面が平坦に保たれ、且つ開口部（隔壁材挿入孔）２１の形成も不要なため、第１２の実施例と同様な利点の他、複数の隔壁材３を隔壁材連結保持板４に同時に固定することで表示装置の生産効率（スループット）を向上させるという利点ももたらす。
＜第１５の実施例＞
第２４図は、隔壁集合体１７が第１２の実施例等とは異なる構造を有する第１５の実施例を示す。第２４図に示されるように、隔壁材３は電子線通過孔１４毎に配置されず、複数の（図示された例では３個の）電子線通過孔１４毎に間引かれて配置される。陰極基板１又は陽極基板２を介して加わる大気の圧力により隔壁材３が変形、破壊しない十分な強度を持つ限り、本実施例の構造は可能である。また、本実施例の構造は、使用する材料の低減と、組立工程の簡素化という利点ももたらす。
＜第１６の実施例＞
第２５図は、隔壁材３を制御電極５の延伸方向に交差するように配置した第１６の実施例を示す。本実施例は、制御電極５を隔壁材の集合材１７で押さえるため、第９の実施例と同じ利点をもたらす。
＜第１７の実施例＞
第２６図は、隔壁材３を互いに交差する２種類の主面（例えば、ｘ−ｚ面とｙ−ｚ面）を組合わせて、その断面（陰極基板１又は陽極基板２の主面に対向する、例えば、ｘ−ｙ面）が十字型を示す（２次元的に広がる）ように構成した第１７の実施例を示す。本実施例では、陰極基板１又は陽極基板２の主面の法線方向から加わる力に対する隔壁材３の強度が高められ、また隔壁材連結保持板４の主面上で隔壁材３が倒れ難いため、隔壁材集合体１７の組立て作業の効率も上がる。
＜第１８の実施例＞
第２７図は、絶縁材８を陰極７の表面全体を覆うことなく形成した第１８の実施例を示す。絶縁材８は、厚膜印刷による直接パターニングやこれにフォト・エッチングを組み合わせた既知の方法、ＣＶＤ法による絶縁膜形成とフォト・エッチング、又は棒状に加工した絶縁性部材をガラス基板６の上部に並設することのいずれでも形成できる。制御電極５は、この絶縁材８の延伸方向に交差して延びた棒状に形成される。棒状の制御電極５は、括弧で括られて図示される２本が一対となって、この一対と交差する陰極７の各々とともに１つの画素を構成する。各対をなす棒状の制御電極５の各々に同一の電位を印加する場合、一対の制御電極５毎にこれらを陰極７上以外の位置で機械的に連結して、これらを機械的に補強してもよい。また、第１１の実施例と同様に、交差する陰極７毎に１つの画素を構成する一対の制御電極５を陰極７の面積に応じて３本以上に増やしてもよい。さらに、制御電極５の断面は図示された矩形に限らず、これを円形や楕円形としても制御電極５としての機能を損なうものでない。本実施例に示された構造の利点の一つは、端部にて互いに結合された複数の線材を絶縁材８上に配置した後、これらの端部を切断することで、複数の棒状制御電極５を一度に効率よく形成できることにある。本実施例の他の利点の一つは、陰極７と制御電極５との間の静電容量を小さく保てることで、これにより陰極７や制御電極５への高周波の信号の入力が可能になり、電界放出型表示装置の表示特性が更に向上される。
＜第１９の実施例＞
第２８図は、第１８の実施例の構造において隔壁材３を制御電極５の延伸方向に交差するように配置した第１９の実施例を示す。このため、第１８の実施例の利点に加えて、制御電極５を隔壁材集合材１７で押さえることにより、電界放出型表示装置の構造的な安定性が高められる。
＜第２０の実施例＞
第２９図は、第１８の実施例の構造において絶縁材８を複数の制御電極孔８に跨るシート状に形成した第２０の実施例を示し、これにより電界放出型表示装置全体にて絶縁材８を一枚のシートとして設けることができる。この実施例の利点の一つは、絶縁材８を予め陰極基板１とは別の部材として加工、成形した後に、陰極７の上に精度良く適切に配置することで陰極基板１が完成されるので、陰極基板１の作製工程が簡素になり、また、本実施例の絶縁材８の基材として利用できる絶縁材料の選択範囲が広がる。本実施例で利用できる基材の一つとして、薄板化が容易で且つ制御電極孔９に対応する開口形成も可能であり、良好な絶縁特性を示す雲母がある。
＜第２１の実施例＞
第３０図は、絶縁材８を第２０の実施例と同様に複数の制御電極孔８に跨るシート状に形成し、更にこの絶縁材８上に制御電極５を直接形成した第２１の実施例を示す。本実施例の構造では、制御電極５を絶縁材８とともに加工、成形して制御電極孔９を有する絶縁材８と制御電極５との積層体（陰極基板１本体とは別の部材）を作製し、これを陰極７の上に精度良く適切に配置することで陰極基板１が完成できるので、第２０の実施例の利点に加えて陰極基板１の生産効率（スループット）が向上するという利点がもたらされる。
＜第２２の実施例＞
第３１図は、隔壁材３が陽極基板２の陽極１０に接触している第２２の実施例を示す。図示されるように、隔壁材連結保持板４は制御電極５と接触するため、絶縁物で形成されるか、又は金属板を用い且つ制御電極５側の主面に絶縁膜又は絶縁層を形成する。本実施例では、電子線通過孔１４が制御電極５の近くに位置されるので電子の走行を妨げることなく隔壁材集合体１７を配置し易く、その結果、陽極基板２に照射される飛び込む電子の量を増大できる。第３１図には、第２１の実施例の陰極基板１を一例として示したが、その構造はこれに限られることはなく、第１の実施例乃至第２０の実施例で図示したいずれの陰極基板１も使用できる。
＜第２３の実施例＞
第３２図は、隔壁材３に加えて第２隔壁材１６を有する隔壁材集合体１７の形状に特徴付けられる第２３の実施例を示す。この実施例において、隔壁材集合体形状１７は。これら２種類の隔壁材３，１６の高さと隔壁材連結保持板４への印加電位を適切に設定することで陰極７から放射された電子の集束条件を最適化し、電界放出型表示装置の表示特性を上げることができる。隔壁材３の高さ（第３２図におけるｚ軸方向の寸法）を第２隔壁材１６のそれより低くして隔壁材連結保持板４を制御電極に近づけてもよい。
＜第２４の実施例＞
第３３図は、隔壁材連結板４の隔壁材３が結合される主面とは反対側の主面に、第２隔壁材１６をその主面（ｙ−ｚ面として図示）が隔壁材３の主面（ｘ−ｚ面として図示）と交差するように結合した第２４の実施例を示す。本実施例の構造は、第２３の実施例の利点に加えて、大気圧に因る応力に対して表示装置を構造的に安定化し、隔壁材集合体１７の構造を組み立て易くするという利点をもたらす。
＜第２５の実施例＞
第３４図は、隔壁材連結板４に固定された隔壁材３に制御電極５を固定して、隔壁材・制御電極集合体１８と称する集合体を構成した第２５の実施例を示す。第３４図のＣ−Ｄ断面を第３５図に示す。制御電極５を陰極基板１に設けず、隔壁材・制御電極集合体１８に設けることにより、陰極基板１の構造が簡素化され、作り易くなる。制御電極５の形状は図示された棒状に限らず、上述の実施例で使われた他の形状に変えてもよい。また、陰極基板１の形状も、上述の実施例のいずれかに倣って変えてもよい。
＜第２６の実施例＞
第３６図は、隔壁材３とともに隔壁材連結板４に結合された第２隔壁材１６に制御電極５を固定した隔壁材・制御電極集合体１８を構成した第２６の実施例を示す。には隔壁材３に加えてがあり、この第２隔壁材１６を介してされている。本実施例では、第２隔壁材１６の高さ（ｚ軸方向の寸法）を隔壁材３より低くすることで、隔壁材・制御電極集合体１８の可撓性を上げた。
＜第２７の実施例＞
第３７図は、第２６の実施例と第１７の実施例とを組合わせた第２７の実施例を示し、十字状の断面を持つ隔壁材３の強度と断面内（ｘ−ｙ面内）での安定性（倒れ難さ）により、これらの隔壁材連結保持板、４への結合作業の効率が向上する。
＜第２８の実施例＞
第３８図は、第２６の実施例の隔壁材・制御電極集合体１８に複数の制御電極孔９が形成された板状の制御電極５を用いた第２８の実施例を示す。
＜第２９の実施例＞
第３９図は、隔壁材連結保持板（連結板）４の陰極基板１側の主面に絶縁性の連結材２２を設け、これに制御電極５を固定した第２９の実施例を示す。絶縁性連結材２２は、連結板４と制御電極５とを電気的に短絡しないように連結している。絶縁性連結材２２を連結板４の主面に形成する代わりに、連結板４自体を絶縁物で作製して絶縁性連結材２２と連結板４を一体化してもよい。
＜第３０の実施例＞
第４０図は、第２９の実施例の制御電極５を絶縁性連結材２２上に厚膜又は薄膜の成長手法を用いて形成した第３０の実施例を示す。本実施例でも、絶縁性連結材２２を隔壁材連結保持板４の主面に形成する代わりに隔壁材連結保持板４を絶縁物で作製して、隔壁材連結保持板４に絶縁性連結材２２の機能を付与してもよい。
＜第３１の実施例＞
第４１図は、グリッド（Ｇｒｉｄ）状の隔壁材３を絶縁材料からなる隔壁材連結保持板（連結板）４に固定し、この連結板４に制御電極５を直接形成した第３１の実施例を示す。グリッド状の隔壁材３の構造は、第４２図により詳しく図解される。互いに直交する隔壁材３の夫々に溝２３を形成し、これらを図のように嵌め合せることで、隔壁材３を倒れ難く且つ潰れ難くする。この構造の隔壁材３は、本実施例に限らず、本発明による他の実施例の全てに利用できる。
＜第３２の実施例＞
第４３図は、第３０の実施例に第２０の実施例を組合わせた第３２の実施例を示す。本実施例では、絶縁材８を複数の制御電極孔９に跨る（これらに対応する複数の開口８９が設けられた）シートとして形成されるため、第２０の実施例と同様な利点をもたらす。シート状の絶縁材８は、例えば雲母で形成するとよい。且つ電界放出型表示装置全体で一枚のシートとすることも出来る。また、隔壁材連結保持板４自体をこのようなシート状の絶縁基材（望ましくは、絶縁材８より厚い膜厚を有する）で構成し、これに絶縁性連結材２２の機能を持たせてもよい。
＜第３３の実施例＞
第４４図は、第３２の実施例の隔壁材連結保持板４を絶縁物で形成し、その陰極基板１側の主面に制御電極５を形成した第３３の実施例を示す。
＜第３４の実施例＞
第４５図は、第３１の実施例の隔壁材連結保持板（連結板）４を絶縁物で形成し、この連結板４の陽極基板２側の主面に制御電極５を形成した第３４の実施例を示す。本実施例の連結板４は上述の絶縁材８の機能も兼ね備え（これ故、参照番号４，８で表示される）、この連結板４には隔壁材３の一部が制御電極５を介して固定されている。本実施例の構造は、表示装置の組立てに要する材料及び部品数を削減し、且つ簡単に（少ない工程数で）表示装置を完成させるという利点をもたらす。
＜第３５の実施例＞
第４６図は、隔壁材連結保持板４を絶縁物で形成して、これに絶縁材８の機能も与え、その陽極基板２側の主面に制御電極５を形成し、更に制御電極５の陽極基板２側に隔壁材３を固定した第３５の実施例を示す。本実施例の構造は、第３４の実施例と同様、表示装置の組立てに要する材料数、部品数、組立工程数を削減するに好適なため、表示装置の生産効率を高めるという利点をもたらす。また、板状の制御電極５は、機械加工、レーザ加工、又はフォト・エッチングなどの加工方法で、隔壁材や隔壁材連結保持板４とは別に製造できる。
＜第３６の実施例＞
第４７図は、制御電極５を絶縁材８で被覆された表面を有する一対の第１制御電極１９と第２制御電極２０とを隔壁材連結保持板４に固定した第３６の実施例を示す。本実施例の構造は、第１制御電極１９及び第２制御電極２０を絶縁膜を被覆した線材として予め作製し、又は準備することができるため、表示装置の生産効率の向上に望ましい。
＜第３７の実施例＞
第４８図は、制御電極５をなす一対の第１制御電極１９及び第２制御電極２０を、夫々の表面に絶縁材８を被覆して、ガラス基板６（陰極基板１）に固定した第３７の実施例を示す。本実施例の構造でも、絶縁膜を被覆した線材として第１制御電極１９及び第２制御電極２０を予め作製し、又は準備できるため、表示装置の生産効率が向上するという利点がもたらされる。
＜第３８の実施例＞
第４９図は、隔壁材連結保持板４を絶縁物で作製し、その陰極基板１側の主面上に制御電極５を、この制御電極５の上に絶縁材８を夫々形成した第３８の実施例を示す。本実施例の構造は、陰極基板１の構造を簡素化して、その生産効率を高め、隔壁材・制御電極集合体１８を陰極基板１並びに陽極基板２とは別に自由に加工、製作させるという利点をもたらす。制御電極孔９は、図示されるように複数個の矩形の開口を規則的に並べる例に限らず、本発明による他の実施例に倣い、その形状及び配置を変えてもよい。
＜第３９の実施例＞
第５０図は、隔壁材連結保持板４を絶縁物で作製し、その陰極基板１側の主面に制御電極５を形成した第３９の実施例を示す。本実施例の構造は、隔壁材３、隔壁材連結保持板４、及び制御電極５を相互に固定してなる隔壁材・制御電極集合体１８が、陰極基板１及び陽極基板２とは別に自由に加工し又は組み立てられるという利点をもたらす。制御電極孔９として、略円形の形状を有する複数の開口を規則的に並べた例を図示したが、その形状を矩形又は楕円形に変えてもよく、その配列態様の変更も可能である。
＜第４０の実施例＞
第５１図は、隔壁材連結保持板４を絶縁物で作製し、その陰極基板１側の主面上に制御電極５と絶縁材８とをこの順に形成した第４０の実施例を示す。本実施例の構造は、陰極基板１を極めて簡単な構造にならしめ、且つ隔壁材・制御電極集合体１８を陰極基板１及び陽極基板２とは別に、自由に加工、製作できるようにするという利点をもたらす。制御電極孔９として、略矩形の形状を有する複数の開口を規則的に並べた例を図示したが、これらの形状を円形又は楕円形等に変更しても、また、これらの配列を本発明による他の実施例に倣い変更してもよい。
＜第４１の実施例＞
第５２図は、隔壁材連結保持板４を絶縁物で作製し、その陰極基板側の主面に棒状の制御電極５を固定した第４１の実施例を示す。本実施例の構造は、隔壁材・制御電極集合体１８を陰極基板１及び陽極基板２とは別に、自由に加工し、製作できるようにするという利点をもたらす。また、本実施例の構造の特筆すべき利点は、隔壁材・制御電極集合体１８を所謂薄膜技術又は厚膜技術を使用することなく製作し得ることである。制御電極５として、その長軸方向（図におけるｘ軸方向）に直交する断面を角型にした例を図示したが、この断面を円形、楕円形、又は多角形に変えても本発明の実施を妨げるものでない。
＜第４２の実施例＞
第５３図は、隔壁材連結保持板４は絶縁物で作製し、その陰極基板１側の主面に制御電極５を設け、この主面における制御電極間の間隙を埋めるように絶縁材８を部分的に形成した第４２の実施例を示す。本実施例の構造は、陰極基板１の構造を極めて簡素化し、隔壁材・制御電極集合体１８を陰極基板１並びに陽極基板２とは別に、自由に加工、製作できるようにするという利点をもたらす。また、絶縁材８の比誘電率は通常１より大きいので、隔壁材連結保持板４の主面において、絶縁材８が配置される領域を制御電極５の間隙及びその周縁に制限するように、絶縁材８を部分的形成した結果、陰極７と制御電極５との間の静電容量が低減した。陰極７と制御電極５との間の静電容量が小さくなる分、これらの電極（導体）に供給される信号（制御信号）の周波数を高めることができる。従って、本実施例の構造を有する表示装置は、高精細の画像を表示し易くなる（高精細の画像表示に要する表示装置の周辺機器の変更を軽減できる）。なお、制御電極孔９として、略矩形の形状を有する複数の開口を規則的に並べた例を図示したが、これらの形状を円形又は楕円形等に変更しても、又はこれらの配列態様を変更してもよい。
＜第４３の実施例＞
第５４図は、隔壁材連結保持板４を絶縁物で作製し、その陰極基板１側の主面に制御電極５を形成した第４３の実施例を示す。本実施例の構造は、隔壁材・制御電極集合体１８を陰極基板１及び陽極基板２とは別に、自由に加工、製作できるようになるという利点をもたらす。また、本実施例では、絶縁材８をガラス基板６の主面における陰極７の間隙を埋めるように部分的に形成する。従って、陰極基板１の形状は第１８の実施例（第２７図）に類似する。絶縁材８の比誘電率は通常１より大きいため、これらの陰極基板１のように、ガラス基板６の主面において絶縁材８が配置又は形成される領域を制限するように、この絶縁材８を陰極７に対して部分的に形成すると、陰極７と制御電極５との間の静電容量が低減する。第４２の実施例で述べたように、陰極７と制御電極５との間の静電容量が小さくなる分、これらにより高周波の制御信号を供給することが可能になり、その結果、表示装置における表示画像の精細度が向上し、又は高精細の画像表示が実現し易くなる。なお、制御電極孔９として、略円形の形状を有する複数の開口を規則的に並べた例を示したが、これらの形状を矩形又は楕円形等に変更し、その配列態様を本発明による他の実施例に倣い変更しても本発明の実施を妨げるものでない。
＜第４４の実施例＞
第５５図は、隔壁材連結保持板４を絶縁物で作製し、その陰極基板１側の主面に一対の棒状の制御電極５を複数組固定した第４４の実施例を示す。本実施例の構造は、隔壁材・制御電極集合体１８を陰極基板１並びに陽極基板２とは別に、自由に加工、製作できるようにするという利点をもたらす。また、第４３の実施例と同様に陰極基板１の主面において絶縁材８を部分的に設けることにより、この絶縁材８の比誘電率が１より大きくとも、陰極７と制御電極５との間の静電容量をこれらの少なくとも一方に高周波の制御信号を供給できるだけ小さくできる。従って、より高周波の制御信号を表示装置の画像表示動作に使用できるようになり、その結果、この表示装置による高精細の画像表示が実現し易くなる。さらに、本実施例の構造の特筆すべき利点は、隔壁材・制御電極集合体１８が所謂薄膜技術、又は厚膜技術（成長手法）を使用することなく製作し得ることである。制御電極５の延伸方向（図におけるｘ軸方向）に直交する断面を角型にした例を図示したが、この断面を円形、楕円形、又は多角形に変えても本発明の実施を妨げるものでない。
最後に、本発明による上述の表示装置の電子放出部として好適なカーボン・ナノ・チューブを用いた電子源を第５６図に示す。第５６図（ａ）はこの電子源の平面図、第５６図（ｂ）はこの電子源を第５６図（ａ）のＢ−Ｂ線に沿って切断した断面図を夫々示す。この電子源の構造及び動作は、第５８図（ｂ）及び（ｃ）を用いて既に説明したＳｐｉｎｄｔ型電子源に類似するが、電子放出部としてエミッタ・コーン１００に代えてカーボン・ナノ・チューブ１０２と呼ばれる棒状の炭素分子をもちいる。カーボン・ナノ・チューブ１０２は、その名の通り、長手方向の寸法を含めて数ｎｍ（ナノ・メートル＝１０−９ｍ）から数十ｎｍの非常に微細な物質であるが、第５６図（ａ）及び（ｂ）にはこれを拡大して示す。このように微細な物質を陰極７に固定するに際し、図示された電子源は、複数のカーボン・ナノ・チューブ１０２を銀等の導電性ペーストに分散させ、これを絶縁材８の開口又は隙間から露出した陰極７の上面に滴下し、導電性ペーストを硬化させて導電膜１０３を形成する。これにより、カーボン・ナノ・チューブ１０２は導電膜１０３の表面に固定される。このように導電膜１０３に固定されたカーボン・ナノ・チューブ１０２の特に導電膜１０３から突出した部分は、これと制御電極５との間に生じる電位差ΔＶに応じて、電子を放出する。上述のようにＳｐｉｎｄｔ型電子源に比べてカーボン・ナノ・チューブ１０２を用いた電子源は、簡易なプロセスで形成でき、また第５８図（ｃ）と第５６図（ｂ）とを比較しても明らかなように、電子放出部も多く形成できる。従って、カーボン・ナノ・チューブ１０２を用いた電界放出型表示装置は、量産に好適であり且つ画像をより明るく表示できる利点を有する。
以上に説明した本発明による表示装置（電界放出型表示装置）は、陰極基板１と陽極基板２を一定距離だけ離して配置する隔壁材３を一括して連結保持する「隔壁材連結保持板」が設けられているため、この表示装置による画像表示性能を損なうこと無く隔壁材３を効率的かつ正確に配置できる。
また、本発明による第２の表示装置及びその類似物は、陰極基板１と陽極基板２とを一定距離だけ離して配置する隔壁材３と、陰極基板から放出される電子の流れを制御する電極（制御電極）５とを一括して連結保持する「隔壁材・制御電極連結保持板」が設けられているため、この表示装置による画像表示性能を損なうこと無く、隔壁材３と制御電極５とを効率的かつ正確に配置できる。
本発明に係るいくつかの実施例を示し、これらについて述べたが、同発明はこれらに限定されることなく当業者の知り得る範囲においてこれらになされる種々の変形並びに改善をも許容するものと理解されるものである。従って本願明細書に付された請求項の範囲はこれに示され且つ記載される詳細に拘束されることなく、かような変形及び改善をも全て包含することを意図するものである。
【図面の簡単な説明】
第１図は、本発明による第１の表示装置の構造的な特徴を簡単に説明する為の模式図（主な構成要素に分解された表示装置を斜視図）である。
第２図は、本発明による第２の表示装置の構造的な特徴を簡単に説明する為の模式図（主な構成要素に分解された表示装置を斜視図）である。
第３図は、本発明による表示装置の第１の実施例を説明する斜視図（表示装置を主な構成要素に分解して示す分解斜視図、以下、断りの無い限り、「斜視図」と略す）である。
第４図は、第３図における陰極基板１のＣ−Ｄ断面図である。
第５図は、第３図における陰極基板１のＡ−Ｂ断面の一例である。
第６図は、第３図において陰極基板１の他のＡ−Ｂ断面を持つ第２の実施例を示す図である。
第７図は、第３図において陰極基板１の他のＡ−Ｂ断面を持つ第３の実施例を示す図である。
第８図は、第７図に示す隔壁材連結保持板４の平面図である。
第９図は、第７図に示す隔壁材連結保持板４の平面図における隔壁材挿入孔２１の拡大図である。
第１０図は、第３図において陰極基板１の他のＡ−Ｂ断面を持つ第４の実施例を示す図である。
第１１図は、第３図において陰極基板１の他のＡ−Ｂ断面を持つ第５の実施例を示す図である。
第１２図は、第３図において陰極基板１の他のＡ−Ｂ断面を持つ第６の実施例を示す図である。
第１３図は、本発明による表示装置の第７の実施例を説明する斜視図である。
第１４図は、第１３図における陰極基板１のＣ−Ｄ断面図である。
第１５図は、本発明の第８の実施例を説明する斜視図である。
第１６図は、本発明による表示装置の第９の実施例を説明する斜視図である。
第１７図は、本発明による表示装置の第１０の実施例を説明する斜視図である。
第１８図は、本発明による表示装置の第１１の実施例を説明する斜視図である。
第１９図は、第１８図における陰極基板１のＣ−Ｄ断面図である。
第２０図は、本発明による表示装置の第１２の実施例を説明する斜視図である。
第２１図は、第２０図における陰極基板１のＡ−Ｂ断面図である。
第２２図は、第２０図において陰極基板１の他のＡ−Ｂ断面を持つ第１３の実施例を示す図である。
第２３図は、第２０図において陰極基板１の他のＡ−Ｂ断面を持つ第１４の実施例を示す図である。
第２４図は、本発明による表示装置の第１５の実施例を説明する斜視図である。
第２５図は、本発明による表示装置の第１６の実施例を説明する斜視図である。
第２６図は、本発明による表示装置の第１７の実施例を説明する斜視図である。
第２７図は、本発明による表示装置の第１８の実施例を説明する斜視図である。
第２８図は、本発明による表示装置の第１９の実施例を説明する斜視図である。
第２９図は、本発明による表示装置の第２０の実施例を説明する斜視図である。
第３０図は、本発明による表示装置の第２１の実施例を説明する斜視図である。
第３１図は、本発明による表示装置の第２２の実施例を説明する斜視図である。
第３２図は、本発明による表示装置の第２３の実施例を説明する斜視図である。
第３３図は、本発明による表示装置の第２４の実施例を説明する斜視図である。
第３４図は、本発明による表示装置の第２５の実施例を説明する斜視図である。
第３５図は、第３４図における陰極基板１のＣ−Ｄ断面図である。
第３６図は、本発明による表示装置の第２６の実施例を説明する斜視図である。
第３７図は、本発明による表示装置の第２７の実施例を説明する斜視図である。
第３８図は、本発明による表示装置の第２８の実施例を説明する斜視図である。
第３９図は、本発明による表示装置の第２９の実施例を説明する斜視図である。
第４０図は、本発明による表示装置の第３０の実施例を説明する斜視図である。
第４１図は、本発明による表示装置の第３１の実施例を説明する斜視図である。
第４２図は、第４１図において隔壁材３の組み合わせ構造例を示す斜視図である。
第４３図は、本発明による表示装置の第３２の実施例を説明する斜視図である。
第４４図は、本発明による表示装置の第３３の実施例を説明する斜視図である。
第４５図は、本発明による表示装置の第３４の実施例を説明する斜視図である。
第４６図は、本発明による表示装置の第３５の実施例を説明する斜視図である。
第４７図は、本発明による表示装置の第３６の実施例を説明する斜視図である。
第４８図は、本発明による表示装置の第３７の実施例を説明する斜視図である。
第４９図は、本発明による表示装置の第３８の実施例を説明する斜視図である。
第５０図は、本発明による表示装置の第３９の実施例を説明する斜視図である。
第５１図は、本発明による表示装置の第４０の実施例を説明する斜視図である。
第５２図は、本発明による表示装置の第４１の実施例を説明する斜視図である。
第５３図は、本発明による表示装置の第４２の実施例を説明する斜視図である。
第５４図は、本発明による表示装置の第４３の実施例を説明する斜視図である。
第５５図は、本発明による表示装置の第４４の実施例を説明する斜視図である。
第５６図は、本発明による表示装置の陰極基板に設けられる電子放出部の一例を示す図であり、（ａ）はその平面図を、（ｂ）は（ａ）のＣ−Ｃ線に沿って描かれた断面図である。
第５７図は、電子放出型表示装置の一例を示す説明図で、（ａ）はこれを分解した状態を示す斜視図、（ｂ）は（ａ）に示す表示装置を分解する前の状態でｘ−ｚ面に沿って切断したときの断面図を夫々示す。
第５８図は、Ｓｐｉｎｄｔ型電子源を用いた電界放出型表示装置を説明する図で、（ａ）はその等価回路図、（ｂ）はその電子放出部の平面図、（ｃ）は（ｂ）の電子放出部をＣ−Ｃ線で切断したときの断面図を夫々示す。
第５９図は、表面伝導型電子源を用いた電界放出型表示装置を説明する図で、（ａ）はその等価回路図、（ｂ）はその電子放出部の平面図、（ｃ）は（ｂ）の電子放出部をＣ−Ｃ線で切断したときの断面図を夫々示す。
第６０図は、従来の電界放出型表示装置の画素（電子放出部）周辺を模式的に示す斜視図である。
【図１】
2002023578.tif 000003
【図２】
2002023578.tif 000004
【図３】
2002023578.tif 000005
【図４】
2002023578.tif 000006
【図５】
2002023578.tif 000007
【図６】
2002023578.tif 000008
【図７】
2002023578.tif 000009
【図８】
2002023578.tif 000010
【図９】
2002023578.tif 000011
【図１０】
2002023578.tif 000012
【図１１】
2002023578.tif 000013
【図１２】
2002023578.tif 000014
【図１３】
2002023578.tif 000015
【図１４】
2002023578.tif 000016
【図１５】
2002023578.tif 000017
【図１６】
2002023578.tif 000018
【図１７】
2002023578.tif 000019
【図１８】
2002023578.tif 000020
【図１９】
2002023578.tif 000021
【図２０】
2002023578.tif 000022
【図２１】
2002023578.tif 000023
【図２２】
2002023578.tif 000024
【図２３】
2002023578.tif 000025
【図２４】
2002023578.tif 000026
【図２５】
2002023578.tif 000027
【図２６】
2002023578.tif 000028
【図２７】
2002023578.tif 000029
【図２８】
2002023578.tif 000030
【図２９】
2002023578.tif 000031
【図３０】
2002023578.tif 000032
【図３１】
2002023578.tif 000033
【図３２】
2002023578.tif 000034
【図３３】
2002023578.tif 000035
【図３４】
2002023578.tif 000036
【図３５】
2002023578.tif 000037
【図３６】
2002023578.tif 000038
【図３７】
2002023578.tif 000039
【図３８】
2002023578.tif 000040
【図３９】
2002023578.tif 000041
【図４０】
2002023578.tif 000042
【図４１】
2002023578.tif 000043
【図４２】
2002023578.tif 000044
【図４３】
2002023578.tif 000045
【図４４】
2002023578.tif 000046
【図４５】
2002023578.tif 000047
【図４６】
2002023578.tif 000048
【図４７】
2002023578.tif 000049
【図４８】
2002023578.tif 000050
【図４９】
2002023578.tif 000051
【図５０】
2002023578.tif 000052
【図５１】
2002023578.tif 000053
【図５２】
2002023578.tif 000054
【図５３】
2002023578.tif 000055
【図５４】
2002023578.tif 000056
【図５５】
2002023578.tif 000057
【図５６】
2002023578.tif 000058
【図５７】
2002023578.tif 000059
【図５８】
2002023578.tif 000060
【図５９】
2002023578.tif 000061
【図６０】
2002023578.tif 000062
【手続補正書】
【提出日】平成13年7月23日(2001.7.23)
【手続補正１】
【補正対象書類名】明細書
【補正対象項目名】特許請求の範囲
【補正方法】変更
【補正の内容】
【特許請求の範囲】
【請求項１】
一方の主面に電界により電子を放出する制御手段を有する陰極基板と、陰極基板に対向して且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の隔壁材と、上記陰極基板又は上記陽極基板のいずれかの主面に沿う面において上記複数の隔壁材を連結し且つ保持する連結保持手段を有することを特徴とする表示装置。
【請求項２】
請求の範囲第１項において、上記連結保持手段は導電性材料で形成されていることを特徴とする表示装置。
【請求項３】
請求の範囲第１項において、上記連結保持手段は絶縁性材料で形成されている表示装置。
【請求項４】
請求項の範囲第３項において、上記絶縁性材料からなる連結保持手段導電性材料には導電性材料からなる領域が形成されていることを特徴とする表示装置。
【請求項５】
請求の範囲第１項において、上記連結保持手段は上記陰極基板又は上記陽極基板のいずれかの主面に沿う主面を有することを特徴とする表示装置。
【請求項６】
請求の範囲第５項において、上記複数の隔壁材の各々は上記連結保持手段の上記主面に接着されることにより連結保持手段に保持されていることを特徴とする表示装置。
【請求項７】
請求の範囲第５項において、上記連結保持手段の上記主面には複数の開口が設けられ、上記複数の隔壁材の各々には突起が設けられ、上記複数の隔壁材の各々は上記突起を上記連結保持手段の複数の開口のいずれかに挿入されて該連結保持手段に保持されていることを特徴とする表示装置。
【請求項８】
一方の主面に電界により電子を放出する電子源を有する陰極基板と、上記陰極基板に対向し且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の間隙保持部材と、上記陰極基板又は上記陽極基板のいずれかの主面に沿う面において上記複数の間隙保持部材を連結し且つ保持する連結保持手段と、上記電子源との間の電位差で上記陰極基板の上記電子源からの電子放出の有無を制御する制御手段とを備え、上記制御手段は上記複数の間隙保持部材に固定されて上記陰極基板と上記陽極基板との間に配置されていることを特徴とする表示装置。
【請求項９】
一方の主面に電界により電子を放出する電子源を有する陰極基板と、上記陰極基板に対向し且つ離間して配置され且つ一方の主面に上記電子を吸収して発光する手段を有する陽極基板と、上記陰極基板と上記陽極基板との間の空間を真空に維持する気密手段と、上記陰極基板と上記陽極基板との間隙を維持する複数の間隙保持部材と、上記陰極基板又は上記陽極基板のいずれかの主面に沿う面において上記複数の間隙保持部材を連結し且つ保持する連結保持手段と、上記電子源との間の電位差で上記陰極基板の上記電子源からの電子放出の有無を制御する制御手段とを備え、上記制御手段は上記連結保持手段に設けられていることを特徴とする表示装置。
【請求項１０】
削除
【請求項１１】
削除
【請求項１２】
削除
【請求項１３】
削除
【請求項１４】
削除
【請求項１５】
削除
【請求項１６】
削除
【請求項１７】
削除
【請求項１８】
削除
【請求項１９】
削除
【請求項２０】
削除
【請求項２１】
上記間隙保持部材は隔壁材であることを特徴とする請求の範囲第８項に記載の表示装置。
【請求項２２】
上記連結保持手段は上記陰極基板又は上記陽極基板の何れかの主面に沿う主面を有することを特徴とする請求の範囲第８項に記載の表示装置。
【請求項２３】
上記連結保持手段は上記電子が通過する開口を有することを特徴とする請求の範囲第８項に記載の表示装置。
【請求項２４】
上記制御手段は板状又は棒状の部材であることを特徴とする請求の範囲第８項に記載の表示装置。
【請求項２５】
上記間隙保持部材は隔壁材であることを特徴とする請求の範囲第９項に記載の表示装置。
【請求項２６】
上記連結保持手段は上記陰極基板又は上記陽極基板の何れかの主面に沿う主面を有することを特徴とする請求の範囲第９項に記載の表示装置。
【請求項２７】
上記連結保持手段は上記電子が通過する開口を有することを特徴とする請求の範囲第９項に記載の表示装置。
【請求項２８】
上記制御手段は板状又は棒状の部材であり、上記連結保持手段に固定されて上記陰極基板と上記陽極基板との間に配置されていることを特徴とする請求の範囲第９項に記載の表示装置。
【国際調査報告】
2002023578.tif 000063
2002023578.tif 000064
2002023578.tif 000065